(57)【要約】【課題】機器の設置環境や使用者の使用状況によって異なるタッチキーの感度を使用者によって最適の感度に調節することができるタッチキーを提供すること。【解決手段】電気絶縁物よりなるプレート部１と、使用者が前記プレート部１に接触すると静電容量値が変化することを検出する静電容量検出部と、前記静電容量検出部により検出される静電容量値の変化が所定値よりも大きい場合に使用者が接触したとして反応処理を行う反応処理部を備え、前記反応処理部の前記所定値は調節可能となっていることにより、使用者の感覚に応じた所定値、つまりはタッチキーの感度に自由に調節することができる。【選択図】図１
2005300030.tif 000002
【特許請求の範囲】
【請求項１】
電気絶縁物よりなるプレート部と、使用者が前記プレート部に接触すると静電容量値が変化することを検出する静電容量検出部と、前記静電容量検出部により検出される静電容量値の変化量が所定値よりも大きい場合に使用者が接触したとして反応処理を行う反応処理部を備え、前記反応処理部の前記所定値は調節可能となっているタッチキー。
【請求項２】
電気絶縁物よりなるプレート部と、使用者が前記プレート部に接触すると静電容量値が変化することを検出する静電容量検出部と、前記静電容量検出部により検出される静電容量値の変化が所定値よりも大きい場合に使用者が接触したとして反応処理を行う反応処理部を備え、前記反応処理部により前記所定値と比較される静電容量値の変化する度合いは調節可能となっているタッチキー。
【請求項３】
前記反応処理部は静電容量値の変化が所定値よりも大きいことを検知してから所定の反応時間経過後に反応処理を行う機能を有し、前記反応時間は調節可能となっている請求項１〜２の何れか１項に記載のタッチキー。
【請求項４】
不揮発性記憶装置を備え、調節された前記所定値や前記反応時間は前記不揮発性記憶装置に記憶させる請求項１〜３の何れか１項に記載のタッチキー。
【請求項５】
加熱部と、請求項１〜４の何れか１項に記載のタッチキーを備えた加熱調理器。
【請求項６】
誘導加熱部と、請求項１〜４の何れか１項に記載のタッチキーを備えた加熱調理器。
【発明の詳細な説明】
【技術分野】
【０００１】
本発明は、各種機器、特に加熱調理器等のフラットパネルを有する機器のフラットパネルを構成するプレート部に設けたタッチキー及びこれを有する加熱調理器に関するものである。
【背景技術】
【０００２】
従来、この種のタッチキーは使用者が触れたときに静電容量値が変化することを検出する構成となっている（例えば、特許文献１参照）。
【０００３】
図７は特許文献１に記載された従来のタッチキーを示すものである。図７はタッチキーの側面から見た図で、１はガラス等の表面の平らな電気絶縁物のプレート部である。２、３はプレート部１の対向する位置に設けた電極部で、電極部２、３とプレート部１でコンデンサを形成している。４はプレート部１の裏側に設けた電極部３に接触し、プレート部１の表側伝電極２に指６で触れたときの信号電圧レベルを制御回路部５に伝える接触電極部である。制御回路部５は高周波電圧を電極部３に送り、電極部２に指６で触れたとき高周波電圧を電極部３、プレート部１、電極部２、指６を通じてバイパスし、電極部３に現れる電圧が所定値以上低下することを検知して電極部２に触れたことを検知する構成としている。
【特許文献１】特開２００３−３０３６７３号公報
【発明の開示】
【発明が解決しようとする課題】
【０００４】
しかしながら、前記従来の構成では、タッチキーに使用者が触れたことを静電容量の変化が所定値以上であることから検出しているので、同じタッチキーであっても使用者の体格や触れ方によりキーの効き具合には個人差があり、個々の使用者にとって最適な操作性が実現できていなかった。また、高周波電圧を使用しているタッチキーであれば、機器の設置場所の置かれる電磁環境によっても操作感度が異なるという課題を有していた。
【０００５】
本発明は前記従来の課題を解決するもので、タッチキーの感度を調節できる機能を有することで、機器の設置環境や使用者に適応した感度を持つタッチキーを提供することを目的とする。
【課題を解決するための手段】
【０００６】
前記従来の課題を解決するために、本発明のタッチキーは静電容量値の変化が所定値よりも大きい場合に使用者が接触したとして反応処理を行う反応処理部を備え、前記反応処理部の前記所定値を調節可能としたものである。
【０００７】
これにより、予め設定されているタッチキーの感度を機器の設置環境や使用者の使用状況に合わせて再調節することを可能とすることで、操作性を向上させることができる。
【発明の効果】
【０００８】
本発明のタッチキーは機器の設置環境や使用者の使用状況に合わせて最適の感度を調節することができる。
【発明を実施するための最良の形態】
【０００９】
第１の発明のタッチキーは、電気絶縁物よりなるプレート部と、使用者が前記プレート部に接触すると静電容量値が変化することを検出する静電容量検出部と、前記静電容量検出部により検出される静電容量値の変化量が所定値よりも大きい場合に使用者が接触したとして反応処理を行う反応処理部を備え、前記反応処理部の前記所定値は調節可能となっていることにより、使用者の感覚に応じた所定値、つまりはタッチキーの感度を使用者の好みや設置される環境に応じて自由に調節することができ、操作性を向上させることができる。
【００１０】
第２の発明のタッチキーは、電気絶縁物よりなるプレート部と、使用者が前記プレート部に接触すると静電容量値が変化することを検出する静電容量検出部と、前記静電容量検出部により検出される静電容量値の変化が所定値よりも大きい場合に使用者が接触したとして反応処理を行う反応処理部を備え、前記反応処理部により前記所定値と比較される静電容量値の変化する度合い調節可能となっていることにより、使用者の感覚に応じた静電容量値の変化度合いを調整し、つまりはタッチキーの感度に自由に調節することで、操作性を向上させることができる。
【００１１】
第３の発明は、特に第１または第２の発明のタッチキーにおける前記反応処理部に静電容量値の変化が所定値よりも大きいことを検知してから所定の反応時間経過後に反応処理を行う機能を有し、前記反応時間は調節可能となっていることにより、使用者の感覚に応じた反応時間に自由に調節することができ、操作性を向上させることができる。
【００１２】
第４の発明は、特に第１〜３の発明の何れか１つの発明のタッチキーに不揮発性記憶装置を備え、調節された前記所定値や前記反応時間は前記不揮発性記憶装置に記憶させることにより、電源遮断前に一度調節した所定値や反応時間によるタッチキーの感度を電源復帰時に再調節するわずらわしさなく、使い勝手を向上させることができる。
【００１３】
第５の発明は、特に第１〜４の発明の何れか１つの発明のタッチキーに加熱部を備えることにより、操作性に優れ、使い勝手の良い加熱調理器を提供することができる。
【００１４】
第６の発明は、特に第１〜５の発明の何れか１つの発明のタッチキーに誘導加熱部を備えることにより、操作性に優れ、使い勝手の良い誘導加熱調理器を提供することができる。
【００１５】
以下本発明の実施の形態について、図面を参照しながら説明する。なお、この実施の形態によって本発明が限定されるものではない。
【００１６】
（実施の形態１）
図１は、本発明の第１の実施の形態におけるタッチキーの側面図を示すものである。
【００１７】
図１において、１はガラス等の表面の平らな電気絶縁物のプレート部である。２、３はプレート部１の対向する位置に設けた電極部で、電極部２、３とプレート部１でコンデンサを形成している。４はプレート部１の裏側に設けた電極部３に接触し、プレート部１の表側電極２の信号電圧レベルを制御部５に伝える接触電極部である。制御部５の内部にある静電容量検出部６は高周波電圧を電極部３に送り、電極部２に指６で触れたとき高周波電圧を電極部３、プレート部１、電極部２、指６を通じてバイパスし、電極部３に現れる電圧が変化することを検知する。制御部５の内部にある反応処理部８は静電容量検出部７により検出される変化が所定値よりも大きい場合に使用者が接触したとして反応処理を行う構成をしている。
【００１８】
以上のように構成されたタッチキーについて、以下その動作、作用を説明する。まず、使用者（ａ）が電極部２に触れたときの電極部３に現れる電圧の変化を図２（ａ）に示す。また、別の使用者（ｂ）の場合を図２（ｂ）に示す。使用者（ａ）が電極部に触れたときの電圧の変化量に比べて使用者に２の電圧の変化量は小さい。この時の電圧の変化量を図３に示す。使用者が接触したとして反応処理を行う反応処理部の所定値がＡの場合は使用者（ａ）が電極部に触れたことは検知できるが、使用者（ｂ）が触れたことは検知できない。ここで使用者（ｂ）がタッチキーを使用する時には所定値をＢに調節することで電極部に触れたことの検知が可能となる。所定値の調節は本実施の形態のタッチキーを有する機器が備えている専用の操作スイッチにより行う。調節方法は通常使用している操作スイッチを同時押しなどの特殊な操作を行うなど本実施の形態以外の方法でも同様の効果を有する。
【００１９】
以上のように、本実施の形態においては前記反応処理部の所定値は調節可能となっていることにより、使用者の感覚に応じた所定値、つまりはタッチキーの感度に自由に調節することができ、操作性を向上させることができる。
【００２０】
また、図４のように電圧の変化量を調節することで使用者２が電極部に触れたときも所定値Ａより変化量を大きくすることができる。
【００２１】
また、図５に示すフローチャートのように、反応処理部で行われるキーを受け付け処理には予め定められた反応時間があってもよく、その反応時間を調節することで更に使い勝手を向上させることができる。
【００２２】
また、調節した反応処理部の所定値や電圧の変化量や反応時間は不揮発性記憶装置を備えて記憶させておくことで、電源遮断から再通電した際に再度調節する手間を省き、使い勝手を向上させることができる。
【００２３】
（実施の形態２）
図６は、本発明の第２の実施の形態のタッチキーを有する誘導加熱調理器の平面図である。９はプレート部１の表側に設けた電極部、１０は誘導加熱部である。
【００２４】
以上のように構成されたタッチキーを有する誘導加熱調理器において、その動作、作用を説明する。
【００２５】
電極部９に触れた時に制御回路部５は電極部９に触れたことを認識し、触れた電極部の意味する命令により誘導加熱部１０を加熱したり、誘導加熱部１０の設定火力の変更を行う。プレート部１上に置かれた鍋が電極部９の近くまでずれてしまった場合や電極部付近を誤って触れてしまった場合には電極部９に触れたと認識することがないように反応処理部の所定値や反応時間を調節することができる。
【００２６】
なお、本実施の形態のように複数のタッチキーが備えられている場合に反応処理部の所定値や反応時間の調節は、それぞれ独立していても、いなくても良い。
【００２７】
以上のように本実施のタッチキーを誘導加熱調理器に使用することにより、家庭内で安全性の高い、かつ使いやすい誘導加熱調理器を提供できるものである。
【００２８】
また、本実施の形態の誘導加熱部にラジェントヒータやガス熱源などの加熱部を用いた場合も同様の効果がある。
【産業上の利用可能性】
【００２９】
以上のように、本発明にかかるタッチキーを有する加熱調理器は機器の設置環境や使用者の使用状況に合わせて最適の感度を調節することが可能となるので、加熱調理器に限らず各種機器の用途にも適応できる。
【図面の簡単な説明】
【００３０】
【図１】本発明の第１の実施の形態１におけるタッチキーの側面図
【図２】本発明の第１の実施の形態１における使用者が電極部に触れたときの電極部３に現れる電圧の変化を示す図
【図３】本発明の第１の実施の形態１における電極部に触れた時の電圧の変化量を示す図
【図４】本発明の第１の実施の形態１における調整後の電極部に触れた時の電圧の変化量を示す図
【図５】本発明の第１の実施の形態１における反応処理部の動作を示すフローチャート
【図６】本発明の第２の実施の形態のタッチキーを有する誘導加熱調理器の平面図
【図７】本発明の従来例におけるタッチキーの側面図
【符号の説明】
【００３１】
１  プレート部
１０  誘導加熱部
【図１】
2005300030.tif 000003
【図２】
2005300030.tif 000004
【図３】
2005300030.tif 000005
【図４】
2005300030.tif 000006
【図５】
2005300030.tif 000007
【図６】
2005300030.tif 000008
【図７】
2005300030.tif 000009